(57)【要約】【課題】本体ケースの口部を口部カバーで確実にシールし、蓋部材を取り外す際に当該蓋部材と一体的に口部カバーも取り外すことができるようにする。【解決手段】口部カバー３４の前面３４ｄには、上下端部で開口する挿入孔部４２ｄを有する筒形をなす被係止筒部４２を設けている。又、エスカッションカバー３３の後面３３ｂには、一端がエスカッションカバー３３に連続し当該一端から先端までの部分が後面３３ｂと離間して上方に立ち上がる形態をなし、被係止筒部４２の挿入孔部４２ｄに下から挿入され、且つこの挿入状態で挿入孔部４２ｄの内面のうち前側部分と離間する形態をなすアーム部３５を設ける構成とした。【選択図】図３
2014056866.tif 000002
【特許請求の範囲】
【請求項１】
矩形箱状をなし内部にセキュリティのための機器を備え、一壁部（３２ｂ）に前記機器の初期設定もしくはメンテナンスを外部から行うための口部（３６）を有し、建物の壁などの設置部（Ｗ）に前記一壁部（３２ｂ）が当該設置部（Ｗ）外面から露出するように組み込まれる本体ケース（３２）と、
前記本体ケース（３２）の前記一壁部（３２ｂ）を覆い得る大きさに形成され、前記一壁部（３２ｂ）に着脱可能に取り付けられる蓋部材（３３）と、
一面（３４ｃ）にシール部材（４１）を取着し、前記口部（３６）の周縁部に係脱可能に装着され、この装着状態で前記口部（３６）を前記シール部材（４１）によりシール状態に閉塞する口部カバー（３４）と、
前記口部カバー（３４）における前記一面（３４ｃ）とは反対側の他面（３４ｄ）に設けられ、上下端部で開口する挿入孔部（４２ｄ）を有する筒形をなす被係止部（４２）と、
前記蓋部材（３３）において前記一壁部（３２ｂ）を覆う側の面である一面（３３ｂ）に、前記口部カバー（３４）の前記被係止部（４２）に対応して設けられ、一端が前記蓋部材（３３）の前記一面（３３ｂ）に連続し当該一端から先端までの部分が当該一面（３３ｂ）と離間して上方に立ち上がる形態をなし、前記被係止部（４２）の前記挿入孔部（４２ｄ）に下から挿入され、且つこの挿入状態で前記挿入孔部（４２ｄ）の内面のうち前側部分と離間する形態をなす係止部（３５）と
を備えたことを特徴とするセキュリティ装置。
【請求項２】
前記被係止部（４２）の下端前部には、下向きの面であって前端から後端へ順次高くなるように傾斜し前記後端が前記挿入孔部（４２ｄ）の下端開口前縁に連続する案内面（４２ｅ）が設けられていることを特徴とする請求項１に記載のセキュリティ装置。
【請求項３】
前記係止部（３５）の先端部は、前記挿入孔部（４２ｄ）への挿入状態で当該挿入孔部（４２ｄ）から突出し、且つこの先端部には前記蓋部材（３３）方向へ突出する鉤状部（３５ｃ）が形成され、
この鉤状部（３５ｃ）の突出長さは前記挿入孔部（４２ｄ）の内面前側部分と係止部（３５）との離間距離より短く設定されていることを特徴とする請求項１又は２に記載のセキュリティ装置。
【請求項４】
前記口部カバー（３４）が前記口部（３６）に装着された状態で前記被係止部（４２）が前記本体ケース（３２）の一壁部（３２ｂ）より前方へ突出しない構成としたことを特徴とする請求項１から３のいずれかに記載のセキュリティ装置。
【請求項５】
前記係止部（３５）は、先端にいくほど前記蓋部材（３３）から離れるように傾斜する形態であり、且つ弾性変形可能であることを特徴とする請求項１から４のいずれかに記載のセキュリティ装置。
【発明の詳細な説明】
【技術分野】
【０００１】
本発明はセキュリティ装置に関する。
【背景技術】
【０００２】
従来、建物の壁などに組み込まれるセキュリティ装置では、風雨に晒されることを考慮して防水性が要求されている。この種のセキュリティ装置の一例を図１９〜図２２に示す。図１９及び図２０に示すように、このセキュリティ装置１は、ほぼ矩形箱状の本体ケース２と、エスカッションカバー３とを備えている。前記本体ケース２は、本体部２ａを有し、この本体部２ａにおいて前壁をなす前壁部２ｂはこの本体部２ａから張り出すフランジ状をなしている。
【０００３】
前記エスカッションカバー３は前記本体ケース２の前壁部２ｂの全体を覆う蓋部材たるものである。
さらに図２０、図２１に示すように、前記本体ケース２の前記前壁部２ｂには各種設定を行うための四角形状の口部４が形成されており、この口部４の前部周縁部には前方へ若干突出するシール当接部４ａが形成されている。又、前記口部４の周囲には、口部カバー収容凹部４ｂが形成されている。
【０００４】
一方、前記エスカッションカバー３の裏面には、前記口部４を閉塞するための口部カバー５が例えば両面テープなどの接着手段により取り付けられている。この口部カバー５は正面形状が四角形状をなし、この口部カバー５の裏面には枠状のシール部材６が例えば接着により取り付けられている。
【０００５】
前記本体ケース２は、前壁部２ｂを壁Ｗの外面に露出させた形態で本体部２ａが壁Ｗ内に組み込まれている。
前記エスカッションカバー３は、前記本体ケース２の前壁部２ｂに係合手段７（図２１参照）により取り付けられる。このエスカッションカバー３の取り付けにより、前記口部カバー５が前記口部カバー収容凹部４ｂ内に収容されると共に、この口部カバー５を介してシール部材６が前記シール当接部４ａに押し付けられて当該口部４をシールする。このシールにより口部４内への水（雨水）の浸入を抑制する。
【０００６】
なお、初期設定や保守点検のための前記口部４はセキュリティのために必要最小限の大きさに設定されており、これに伴って口部カバー５の大きさも小さく、四角形の一辺で１〜３センチ程度である。なお、特許文献１には、電池カバーと電池収容部との間にパッキンを設ける構成が記載されているが、シール部材を備えた口部カバーを備えておらず、本願発明の課題解決の参考とはならない。
【先行技術文献】
【特許文献】
【０００７】
【特許文献１】特開２０１０−９８５３５号公報（図９）
【発明の概要】
【発明が解決しようとする課題】
【０００８】
ところで、前記口部カバー５を予めエスカッションカバー３に設けておく理由は、次にある。仮に口部カバー５を単独で本体ケース２の口部４に対して着脱可能に取り付け及び取り外しするようにしておくと、口部カバー５の取り付け及び取り外し時に、当該口部カバー５の大きさが前述したように小さいため、口部カバー５を落としやすい。そして落としてしまうと、落ちた部分が草地や土であると、小さいために見つけにくく紛失し易い。又、側溝などに落としてしまうと回収できないこともある。そこで、口部カバー５をエスカッションカバー３に両面テープなどの接着剤によって固着しておくことで、エスカッションカバー３に付設したまま口部カバー５を取り付け・取り外しを行い、もって当該口部カバー５の落下や紛失を防止するようにしている。
【０００９】
しかし、口部カバー５をエスカッションカバー３の裏面に両面テープを介して接着する場合、熟練度の低い作業者では、口部カバー５がエスカッションカバー３に裏面にちょっとでも触れると、そのまま張り付けてしまい、この結果、取付目標位置からずれて取り付けられるといった取付誤差が発生することがあった。
ちなみに、この取付誤差が仮に１ｍｍ程度と小さいものであったとしても、口部カバー５自体の大きさが小さいことから、相対的に口部カバー収容凹部４ｂに対しては大きな取付誤差となる。又、作業者にとっては、この１ｍｍ程度の取付誤差は目視によっては判断しづらいものであり、看過してしまうこともある。
【００１０】
上述の取付誤差が看過されてしまうと、エスカッションカバー３を本体ケース２に取り付ける場合に、図２２に示すように、口部カバー５が口部カバー収容凹部４ｂの縁部に当たって口部４のシールができない不都合が発生する。この時点で、作業者が口部カバー５の取付誤差に気付いて、口部カバー５に位置ずれを修正しようとしても、一旦、両面テープで強固に接着された口部カバー５は、なかなか剥がれず、強引に剥がすと口部カバー５が変形して、結局新しい口部カバーと交換しなければならない不具合もある。
【００１１】
本発明は上述の事情に鑑みてなされたものであり、その目的は、口部カバーが位置ずれするなどの組み立て上の不具合を最初から起こすことがなく、且つ当該口部カバーで本体ケースの口部を容易且つ確実にシールでき、しかも口部カバーの落下ないし紛失を防止できるセキュリティ装置を提供することにある。
【課題を解決するための手段】
【００１２】
本発明は、次の点に着目してなされている。口部カバーを蓋部材に固着しておく従来方式では、作業者の熟練度が低いような場合には、どうしても口部カバーが適正な位置からずれてしまい、口部のシールがうまくできない問題が残る。
そこで、本発明者は、まず、口部カバーを蓋部材に固着するのではなく、もともとのやり方である、口部カバーを単独に口部に対して取り付け及び取り外しをすることについて再考した。この場合、口部カバーを単独で口部に取り付ければ、口部カバーを、口部カバーの位置ずれといった従来の不具合を起こすことなく、口部に対して容易且つ確実に、且つシールを図りつつ取り付けることが可能となる。
【００１３】
さらに、このやり方において、口部カバーの落下事象について調査したところ、口部カバーが落下する事象が多く発生するのは、専ら口部カバーの取り外し時であることが判明した。つまり、口部カバーを取り付ける時には、作業者が最初から口部カバーを手で持って取り扱うため、口部カバーを落下してしまう事例がほとんどなく、これに対して、口部カバーを口部から取り外す際には、口部カバーのエッジなどを工具などで引掛けて手前側へ外すため、口部カバー５が弾けるように口部から一気に外れ、しかもその大きさが前述したように小さいために落としやすい、ということが判った。
【００１４】
この点を考慮した本発明者では、口部カバーの取り付け時には当該口部カバーを単独で取り付け、その後、口部カバーと蓋部材とを何らかの手段によって連結できるようにすれば、蓋部材を取り外す時にこの口部カバーも一緒に連結した状態で取り外すことができるので、落下の問題も解決できるという発想に至った。そして、本発明者においては上述の手段を模索した結果、請求項１のように具現化し得た。
【００１５】
すなわち、請求項１の発明によれば、口部カバーに上下端部で開口する挿入孔部を有する筒形をなす被係止部を設け、蓋部材に、口部カバーの前記被係止部に対応して、一端が蓋部材の一面に連続し当該一端から先端までの部分が当該一面と離間して上方に立ち上がる形態をなし、被係止部の前記挿入孔部に下から挿入され、且つこの挿入状態で前記挿入孔部の内面のうち前側部分と離間する形態をなす係止部を設ける構成とした。
【００１６】
これによれば、口部カバーの被係止部が蓋部材の係止部に係止される前の状態では、口部カバーを、単独で口部に取り付けることができるため、口部カバーの位置ずれといった従来の不具合を起こすことなく、口部に対して容易且つ確実に、且つシールを図りつつ取り付けることが可能となる。
【００１７】
さらに、請求項１の発明によれば、口部カバーを口部に取り付けた状態において、蓋部材を本体ケースに取り付けるに際して、当該蓋部材を本体ケースの一壁部に沿って下から上へとスライドさせてから取り付けるようにすれば、この蓋部材のスライドによって係止部を被係止部の挿入孔部に下から挿入でき、蓋部材の係止部を口部カバーの被係止部に対して前後方向で係止可能とすることができる。つまり、取り付け後の口部カバーを蓋部材に一体化できる。
【００１８】
従って、蓋部材を本体ケースの一壁部から手前側へ外せば、口部カバーがこの蓋部材に係止されて、この蓋部材の動きと一体的に動く。この結果、口部カバーを蓋部材に付随させたまま口部から取り外すことができ、口部カバーの取り外し時における落下を回避できる。
又、蓋部材に付随した口部カバーを、再度口部に取り付ける場合には、口部カバーの被係止部を蓋部材の係止部から上方へ引き抜けば口部カバーを蓋部材から取り外すことができ、再取り付け時にも、口部カバーを単独で口部に取り付けることができる。
【００１９】
ここで、セキュリティ装置は屋外に設置されるため、激しい風雨に晒されることもある。そこで発明者は、セキュリティ装置に対して暴風雨テストを行い、暴風雨がセキュリティ装置に与える影響を考察してみた。上記暴風雨テストは、壁に組み付けたセキュリティ装置に、高水圧の水をあらゆる方向から噴射し、口部に対する防水機能の状態などを確認するテストである。この暴風雨テストを行ううちに、上記水圧が高くなると、蓋部材が外れることはないがその中間部がばたつく（本体ケースの一壁部に対して蓋部材が僅かに浮いたり当たったりする）ようになることが判った。この場合、仮に前記係止部が被係止部ときつく嵌合していると、蓋部材の浮き方向の動きによって口部カバーが連動して口部から外れるもしくは口部に対する閉塞が不十分となってシール機能が低下してしまう。
【００２０】
この点、請求項１の発明によれば、被係止部の挿入孔部に係止部が挿入された状態では係止部が被係止部の挿入孔部の内面のうち前側部分と離間するから、暴風雨によって万一蓋部材が浮き方向（口部カバーを口部から離す方向）へ若干動いたとしても係止部が被係止部の挿入孔部の内面前側部分に当たることがなく、蓋部材が前記浮き方向へ動いても蓋部材が口部カバーを口部から取り外すようなことはない。なお、蓋部材が本体ケースの一壁部に当たる方向へ変位する（蓋部材の係止部が口部カバーを押す）ときには、その方向が口部カバーが口部を閉塞及びシールする方向であるため、問題はない。
【００２１】
請求項２の発明においては、被係止部の下端前部には、下向きの面であって前端から後端へ順次高くなるように傾斜し前記後端が前記挿入孔部の下端開口前縁に連続する案内面が設けられているところに特徴を有する。これによれば、前述した蓋部材のスライド操作の際に、係止部の先端部が前記挿入孔部より若干前側に位置したとしても、当該係止部の先端部がこの案内面に遭遇してこの案内面により被係止部の挿入孔部に案内させることが可能となり、もって係止部の挿入失敗を回避できる。
【００２２】
請求項３の発明においては、前記係止部の先端部が、前記挿入孔部への挿入状態で当該挿入孔部から突出し、且つこの先端部には前記蓋部材方向へ突出する鉤状部が形成され、この鉤状部の突出長さは前記挿入孔部の内面前側部分と係止部との離間距離より短く設定されているところに特徴がある。
【００２３】
上記構成において、蓋部材を取り外した後にこの蓋部材から口部カバーを取り外すためには、作業者が意図的に被係止部の前壁部内面を係止部から離間させ、この離間部を通して係止部の鉤状部を抜脱することが必要となる。つまり、このような意図的な操作をしない限りは、被係止部が係止部の鉤状部に引っ掛かって外れないから口部カバーも外れず、この結果、蓋部材を取り外した際での口部カバーの意図しない外れを有効に防止できる。
【００２４】
そして、この鉤状部は、係止部と被係止部の挿入孔部の内面のうち前側部分とを離間させる構成としたからこそ、係止部先端に形成できたものである。つまり、仮に係止部と挿通孔部とがほぼ隙間なく嵌合すると、鉤状部が挿通孔部を挿通し得ないから鉤状部は設けることができない。しかし請求項１の発明では、蓋部材のばたつき時での口部カバーの口部からの外れを防止するために、係止部と挿入孔部の内面のうち前側部分とを離間させる構成としたから、この離間部を利用することで、鉤状部を挿入孔部に対して挿入及び抜脱でき、もって鉤状部を係止部に設けることができた。
【００２５】
請求項４の発明においては、前記口部カバーが前記口部に装着された状態で前記被係止部が前記本体ケースの一壁部より前方へ突出しない構成としたところに特徴を有する。これによれば、蓋部材の一面を本体ケースの一面にほぼ隙間なく取り付けることが可能で当該蓋部材の薄形化に寄与できる。
請求項５の発明においては、係止部が、先端にいくほど蓋部材から離れるように傾斜する形態であり、且つ弾性変形可能であるところに特徴を有する。これによれば、係止部が先端にいくほど蓋部材から離れるように傾斜するから、換言すれば、先端にいくほど取付状態の口部カバーに接近するように傾斜するから、蓋部材を本体ケースの一壁部に対してスライド操作するときに、係止部が口部カバーの被係止部の挿入孔部に届きやすく、挿入孔部への係止部の挿入を容易に行うことができる。
【図面の簡単な説明】
【００２６】
【図１】本発明の第１実施形態によるセキュリティ装置の設置状態の斜視図
【図２】本体ケースとエスカッションカバーと口部カバーとを分離した状態のセキュリティ装置の斜視図
【図３】設置状態でのセキュリティ装置の縦断側面図
【図４】口部カバー部分を拡大して示す縦断側面図
【図５】本体ケースの正面図
【図６】エスカッションカバーの係合部分の縦断側面図
【図７】エスカッションカバーの背面図
【図８】アーム部部分の斜視図
【図９】アーム部部分と被係止筒部部分とを分離して示す図
【図１０】口部カバーの斜視図
【図１１】エスカッションカバーの取り付け操作を説明するための斜視図
【図１２】同縦断側面図
【図１３】エスカッションカバーの取り外し状態を示す縦断側面図
【図１４】口部カバーを取り外す場合を説明するためのエスカッションカバー及び口部カバーの縦断側面図
【図１５】第２実施形態を示す図３相当図
【図１６】エスカッションカバーを本体ケースに対して分離して示す縦断側面図
【図１７】第３実施形態を示す図３相当図
【図１８】図１２相当図
【図１９】従来例を示す図１相当図
【図２０】本体ケースとエスカッションカバーとを分離した状態のセキュリティ装置の斜視図
【図２１】図３相当図
【図２２】口部カバーが口部カバー収容凹部縁部に当たった状態の縦断側面図
【発明を実施するための形態】
【００２７】
以下、本発明の第１実施形態について図１〜図１４を参照して説明する。この第１実施形態のセキュリティ装置３１は、図１に示すように、建物のドア近くの前面が垂直をなす壁Ｗ（設置部に相当）に組み込まれている。このセキュリティ装置３１は、図２及び図３に示すように、本体ケース３２と、蓋部材に相当するエスカッションカバー３３と、口部カバー３４を備えている。本体ケース３２は、矩形箱状をなし、内部にセキュリティのための機器（その一部を図３に符号５０で示す）を収容している。
【００２８】
本体ケース３２は、合成樹脂製であり、上下、左右の壁部（組み込み状態で上下、左右となる壁部）を備えた本体部３２ａと、一壁部に相当する前壁部（組み込み状態で前となる壁部）３２ｂとを一体に有してなる。前記前壁部３２ｂは本体部３２ａからフランジ状に突出し、正面形状が四角形をなしている。この前壁部３２ｂの左右方向のほぼ中間部には縦長な矩形の認証面部５１が突出する形態で設けられている。前記認証面部５１は、図示しない非接触ＩＣカードが接触又は近接する（かざされる）と、認証ＩＤやその他の情報を読み取るためのものである。なお、この認証ＩＤやその他の情報が適正であれば、例えば前記ドアの解錠などを行うための信号を発生する。
【００２９】
前記本体ケース３２はその前壁部３２ｂがほぼ垂直状態で前記壁Ｗの前面で露出する形態で当該壁Ｗに組み込まれている。
さらに、図３及び図４に示すように、前壁部３２ｂにおいて、前記認証面部５１の右方には、前記機器５０に対する初期設定やメンテナンスなどを行うための四角形の口部３６が形成されている。この口部３６の周縁部には前方向へ突出するシール当接部３６ａが形成されている。
【００３０】
さらに、この口部３６の周囲部（シール当接部３６ａの周囲部）には、前記口部３６より若干大きな四角形をなす口部カバー収容凹部３７が形成されている。この口部カバー収容凹部３７の上面の２か所及び下面の２か所には係合手段としての係合突部３７ａが夫々形成されている。
【００３１】
又、図３、図５に示すように、前壁部３２ｂの上辺部寄りの２か所には、それぞれ係合部としての係合凸部３８ａ、３８ａが形成されている。この係合凸部３８ａは、前壁部３２ｂの端部裏側を凹状に形成することにより当該凹状部の前側で立ち上がる壁部により構成されている。同様に、下辺部寄りの２か所には、夫々係合部としての係合凸部３８ｂ、３８ｂが形成されている。この係合凸部３８ｂは前記上方の係合凸部３８ａとは上下逆の構成である。
【００３２】
一方、図３、図７において、エスカッションカバー３３は、合成樹脂製であり、前記本体ケース３２の前記前壁部３２ｂを覆い得る大きさ（四角形）に形成されている。このエスカッションカバー３３の周縁部には、前記本体ケース３２の前壁部３２ｂの端を覆い得るように枠部３３ａ（図３にも図示）が形成されている。さらにこのエスカッションカバー３３の左右方向の中間部には、前記認証面部５１にほぼ隙間なく嵌合する縦長矩形状の露出用開口３９が形成されている。
【００３３】
さらに、図７に示すように、このエスカッションカバー３３の枠部３３ａにおける上辺部裏側の２か所、及び下辺部裏側の２か所には、前記係合凸部３８ａ、３８ａに対応する被係合部としての被係合凸部４０ａ、４０ａ、前記係合凸部３８ｂ、３８ｂに対応する被係合部としての被係合凸部４０ｂ、４０ｂが形成されている。
【００３４】
又、図３、図８、図９に示すように、このエスカッションカバー３３の後面３３ｂ（前記本体ケース３２の前記前壁部３２ｂを閉塞する側の面である一面に相当）には、口部カバー３４に形成された後述の被係止筒部４２と対応する係止部としてのアーム部３５が例えば一体に形成されている。このアーム部３５は図８、図９の矢印Ｅ方向へ弾性変形可能である。
【００３５】
このアーム部３５は、一端が前記エスカッションカバー３３の前記後面３３ｂに連続して他端が略水平状をなして後方へ張り出す張り出し部分３５ａと、この張り出し部分３５ａの他端部からほぼ垂直上方へ立ち上がる立ち上がり部分３５ｂとから構成されている。さらに、アーム部３５の先端部（上端部）は、エスカッションカバー３３の後面３３ｂ方向へやや下向き斜め状態（鋭角状態、図９の角度α参照）に突出する鉤状部３５ｃが形成されている。
【００３６】
図３に示す口部カバー３４は、合成樹脂製であり、図９、図１０に示すように、前記口部カバー収容凹部３７に収容可能で且つ前記口部３６を閉塞可能な形状この場合四角形（図６参照）の板状部材３４ａから構成されている。この板状部材３４ａの周縁部は口部３６方向へ突出する枠部３４ｂが形成されている。
さらに、図９、図１０に示すように、この板状部材３４ａにおいて前記口部３６を閉塞する側の面である一面に相当する後面３４ｃには、シール部材４１が例えば接着により取り付けられている。このシール部材４１は弾力性を有する発泡（独立気泡）性樹脂からなる。
【００３７】
図９、図１０に示すように、前記口部カバー３４における後面３４ｃと反対側の面である前面３４ｄには、被係止部に相当する被係止筒部４２が例えば一体に形成されている。
この被係止筒部４２は、上下方向に長い前壁部４２ａ及びこの前壁部４２ａの両端に夫々一端部が連続する上下方向に長い左壁部４２ｂ並びに右壁部４２ｃを有して横断面形状がコ字状をなし、当該左壁部４２ｂ及び右壁部４２ｃの他端部が前記口部カバー３４における前面３４ｄに連続する。この被係止筒部４２は、前記前壁部４２ａ、左壁部４２ｂ、右壁部４２ｃ及び前記口部カバー３４の前面３４ｄとで筒形をなし、上下端部で開口する空間部を挿入孔部４２ｄとしている。この被係止筒部４２の上端部は後方へ向かうに従って上がり傾斜となる斜面状に形成されており、挿入孔部４２ｄの上端前部分の角度が前記鉤状部３５ｃ同様に鋭角（図９に角度βで示す）をなす。
【００３８】
この被係止筒部４２の下端前部である前壁部４２ａの下端には、図９に示すように、案内面４２ｅが形成されている。この案内面４２ｅは、下向きの面であって前端４２ｅ１から後端４２ｅ２へ順次高くなるように傾斜し前記後端４２ｅ２が前記挿入孔部４２ｄの下端開口前縁に連続している。
【００３９】
前記口部カバー３４における枠部３４ｂの上面の左右２か所及び下面の左右２か所には夫々係合手段としての被係合突部３４ｆが形成されている。
さて、図３及び図４には、前記口部カバー３４が口部３６を閉塞し且つエスカッションカバー３３が本体ケース３２の前壁部３２ｂに取り付けられて当該前壁部３２ｂを覆った状態（これらの取付手順について後述する）を示しており、この状態では、前記口部カバー３４の前面３４ｄが本体ケース３２の前壁部３２ｂ前面にほぼ面一となるように、口部カバー収容凹部３７の奥行き寸法や、口部カバー収容凹部３７における係合突部３７ａの位置及び口部カバー３４における被係合突部３４ｆの位置が設定されている。
【００４０】
なお、口部カバー収容凹部３７と、シール当接部３６ａと、口部カバー３４と、シール部材４１との関係は次のように設定されている。口部カバー３４が前記口部カバー収容凹部３７に入りさえすれば、口部カバー３４が奥方に押し込められたときに、口部カバー３４のシール部材４１が必ずシール当接部３６ａに押し当てられる寸法関係になっている。つまり、口部カバー収容凹部３７は口部カバー３４を、口部３６に対して適正に閉塞させるための位置規制手段として機能する。
【００４１】
そして、図９に示すように、被係止筒部４２の突出寸法をＴ１、挿入孔部４２ｄの前後方向幅寸法をＴ２としたとき、本体ケース３２の前壁部３２ｂ前面とエスカッションカバー３３の後面３３ｂとの離間距離Ｕ１（図４参照）は、前記Ｔ１より僅かに大きくなるように設定され、又、エスカッションカバー３３の後面３３ｂからのアーム部３５の突出寸法Ｕ２も前記Ｔ１よりやや大きく設定されている。さらに、被係止筒部４２の挿入孔部４２ｄの前後方向幅寸法Ｔ２は、前記アーム部３５の立ち上がり部分３５ｂの厚みＵ３より大きく設定されており、もって、この図３及び図４に示す状態では、前記被係止筒部４２の挿入孔部４２ｄの内面のうち前側部分（前壁部４２ａ内面部分）に対してアーム部３５が離間している。つまり被係止筒部４２の前壁部４２ａとアーム部３５との間には前後長Ｓａ（Ｓａ＝Ｔ２−Ｕ３）の空隙Ｓが存在する設定となっている。さらにアーム部３５からの鉤状部３５ｃの前方への突出長さＵ４（図９参照）は、前記被係止筒部４２の前壁部４２ａとアーム部３５との間の前後長Ｓａより短く設定されている。
【００４２】
さて、口部カバー３４及びエスカッションカバー３３の取付手順について説明する。図２の状態から、まず、前記口部カバー３４を、前記口部カバー収容凹部３７に押し込む。これにより、シール部材４１がシール当接部３６ａに押し当てられると共に、被係合突部３４ｆが係合突部３７ａを乗り越えて係脱可能に係合される。これにより口部３６がシール部材４１によりシールされると共に、口部カバー３４が口部３６に係脱可能に装着される（図１１及び図１２参照）。
【００４３】
この状態から、エスカッションカバー３３を本体ケース３２に取り付ける場合には、図１１及び図１２に示すように、当該エスカッションカバー３３を本体ケース３２の前壁部３２ｂに沿って下から上へ（矢印Ａ方向へ）とスライドさせる。この時縦長な露出用開口３９の長手方向を操作方向の目安とすると良い。このエスカッションカバー３３のスライド時においてアーム部３５の先端部である鉤状部３５ｃが挿入孔部４２ｄより手前側に位置すると、アーム部３５の先端部である鉤状部３５ｃが案内面４２ｅに遭遇しこの案内面４２ｅにより被係止筒部４２の挿入孔部４２ｄへと案内されて当該挿入孔部４２ｄ内に挿入される。このとき、アーム部３５からの鉤状部３５ｃの前方への突出長さＵ４（図９参照）が、前記被係止筒部４２の前壁部４２ａとアーム部３５との間の前後長Ｓａ（図４参照）より短く設定されているから、鉤状部３５ｃが支障なく挿入孔部４２ｄを通過する。
【００４４】
そしてエスカッションカバー３３をさらにスライドさせると、各被係合凸部４０ａ、４０ｂが各係合凸部３８ａ、３８ｂに係合され、もってエスカッションカバー３３が本体ケース３２の前壁部３２ｂにこれを覆うように取り付けられる（図３参照）。この取付状態では、アーム部３５が被係止筒部４２の挿入孔部４２ｄに挿入されているから、アーム部３５は被係止筒部４２に対して図３矢印Ｒ方向（エスカッションカバー３３取り外し方向である前方向）で係止可能である。
【００４５】
図３の状態から、機器５０のメンテナンスなどのためにエスカッションカバー３３及び口部カバー３４を取り外す場合には、当該エスカッションカバー３３を前述の矢印Ｒ方向へ引っ張ることで各被係合凸部４０ａ、４０ｂを各係合凸部３８ａ、３８ｂから外して、手前側へエスカッションカバー３３を移動させる（図１３参照）。このときエスカッションカバー３３のアーム部３５が口部カバー３４の被係止筒部４２の前壁部４２ａ内面と当接（係止）することで口部カバー３４もエスカッションカバー３３と一体的に動き、この結果、口部カバー３４の被係合突部３４ｆが係合突部３７ａから外れ、口部カバー３４が口部３６から取り外される。
【００４６】
この口部カバー３４の被係止筒部４２は、エスカッションカバー３３のアーム部３５に引っ掛かけられた（係止された）ままとなるため、口部カバー３４がこのエスカッションカバー３３から落下することない。
又、口部カバー３４を再度口部３６に取り付ける場合には、図１３の状態と同じ状態を示す図１４（ａ）の状態から、口部カバー３４を矢印Ｌの方向（前方向）へ移動させることにより被係止筒部４２の前壁部４２ａ内面をアーム部３５から離間させ（図１４（ｂ）参照）、アーム部３５の鉤状部３５ｃを挿入孔部４２ｄに上下方向で対応させる。この後、被係止筒部４２をエスカッションカバー３３のアーム部３５から上方へ（矢印Ｍ方向へ）引き抜けば、エスカッションカバー３３から口部カバー３４が取り外される。この後、口部カバー３４を単独で口部３６に取り付けることができる。
【００４７】
このような本実施形態においては、口部カバー３４においてエスカッションカバー３３側の面である前面３４ｄに上下方向に開通する挿入孔部４２ｄを有する被係止筒部４２を設け、エスカッションカバー３３において口部カバー３４側の面である後面３３ｂに一端が当該後面３３ｂに連続し当該一端から先端までの部分が当該後面３３ｂと離間して上方に立ち上がる形態をなすアーム部３５を設ける構成とした。
【００４８】
この構成によれば、口部カバー３４の被係止筒部４２がエスカッションカバー３３のアーム部３５に係止される前の状態では、口部カバー３４を、単独で口部３６に係脱可能に装着することができるため、蓋部材に接着された口部カバーが位置ずれを起こすような従来の問題は発生せず、なお且つ、シール部材４１を備えた口部カバー３４を、口部３６に対して容易且つ確実に、且つシールを図りつつ取り付けることができる。
【００４９】
又、本実施形態によれば、口部カバー３４を口部３６に取り付けた状態において、エスカッションカバー３３を本体ケース３２に取り付けるに際して、当該エスカッションカバー３３を本体ケース３２の前壁部３２ｂに沿って下から上へとスライドさせてから取り付けるようにすれば、このスライド操作によってアーム部３５を被係止筒部４２の挿入孔部４２ｄに下から挿入でき、アーム部３５と被係止筒部４２とを前後方向で係止可能とすることができる。つまり、取り付け後の口部カバー３４をエスカッションカバー３３に一体化できる。
【００５０】
従って、エスカッションカバー３３を本体ケース３２の前壁部３２ｂから手前側へ外せば、このエスカッションカバー３３に係止された口部カバー３４もこのエスカッションカバー３３と一体的に動く。この結果、口部カバー３４をエスカッションカバー３３に付随させたまま口部３６から取り外すことができる。よって、口部カバー３４の取り外し時における落下ひいては紛失を回避できる。
【００５１】
又、本実施形態によれば、エスカッションカバー３３に付随した口部カバー３４を、再度口部３６に取り付ける場合には、口部カバー３４の被係止筒部４２をエスカッションカバー３３のアーム部３５から上方へ引き抜けば口部カバー３４をエスカッションカバー３３から取り外すことができ、この結果、再取り付け時にも、口部カバー３４を単独で口部３６に取り付けることができる。
【００５２】
ここで、本実施形態のセキュリティ装置３１が激しい風雨に晒された場合に、エスカッションカバー３３の中間部がばたつく（本体ケース３２の前壁部３２ｂに対してエスカッションカバー３３が僅かに浮いたり当たったりする）ことがあっても、本実施形態によれば、被係止筒部４２の挿入孔部４２ｄにアーム部３５が挿入された状態ではアーム部３５が被係止筒部４２の挿入孔部４２ｄの内面前側部分と離間するから、暴風雨によって万一エスカッションカバー３３が浮き方向（口部カバー３４を口部３６から離す方向）へ若干動いたとしてもアーム部３５が被係止筒部４２の前壁部４２ａ内面に当たることがなく、エスカッションカバー３３が口部カバー３４を口部３６から取り外してしまうことはない。なお、エスカッションカバー３３が本体ケース３２の前壁部３２ｂに当たる方向へ変位する（エスカッションカバー３３のアーム部３５が口部カバー３４を押す）ときには、その方向が口部カバー３４が口部３６をシールする方向であるため、問題はない。
【００５３】
又、本実施形態によれば、被係止筒部４２の下端前部に、下向きの面であって前端４２ｅ１から後端４２ｅ２へ順次高くなるように傾斜し後端４２ｅ２が挿入孔部４２ｄの下端開口前縁に連続する案内面４２ｅを設けたから、前述したエスカッションカバー３３のスライド操作の際に、アーム部３５の先端部が挿入孔部４２ｄより若干前側に位置したとしても（位置ずれしたとしても）、当該アーム部３５の先端部がこの案内面４２ｅに遭遇してこの案内面４２ｅにより被係止筒部４２の挿入孔部４２ｄに案内させることが可能となり、もってアーム部３５の挿入失敗を回避できる。
【００５４】
又、本実施形態によれば、挿入孔部４２ｄへのアーム部３５の挿入状態でアーム部３５の先端部が当該挿入孔部４２ｄから突出し、且つこの先端部にエスカッションカバー３３方向へ突出する鉤状部３５ｃを形成し、この鉤状部３５ｃの突出長さを被係止筒部４２の挿入孔部４２ｄの内面前側部分とアーム部３５との離間距離より短くする構成とした。
【００５５】
上記構成の実施形態によれば、エスカッションカバー３３を取り外した後にこのエスカッションカバー３３から口部カバー３４を取り外すためには、作業者が意図的に被係止筒部４２の前壁部４２ａ内面をアーム部３５から離間させ、この離間部を通してアーム部３５の鉤状部３５ｃを抜脱することが必要となる。つまり、このような意図的な操作をしない限りは、被係止筒部４２がアーム部３５の鉤状部３５ｃに引っ掛かって被係止筒部４２が外れないから口部カバー３４も外れず、この結果、エスカッションカバー３３を取り外した際での口部カバー３４の意図しない外れを有効に防止できる。
【００５６】
この場合、前記鉤状部３５ｃ及び挿入孔部４２ｄの上端前部分の角度がいずれも鋭角をなすから、引っ掛かると、さらに外れ難いものとなる。
そして、この鉤状部３５ｃは、アーム部３５と被係止筒部４２の前壁部４２ａ内面とを離間させる構成としたからこそ、次に述べるように、アーム部３５先端に形成できたものである。つまり、仮にアーム部３５と挿入孔部４２ｄとがほぼ隙間なく嵌合すると、鉤状部３５ｃを挿入孔部４２ｄに挿通し得ないから鉤状部３５ｃは設けることができない。しかしこの実施形態では、エスカッションカバー３３のばたつき時での口部カバー３４の口部３６からの外れを防止するために、アーム部３５と被係止筒部４２の前壁部４２ａ内面とを離間させる構成としたから、この離間部を利用することで、鉤状部３５ｃを挿入孔部４２ｄに対して挿入及び抜脱でき、もって鉤状部３５ｃをアーム部３５に設けることができた。
【００５７】
図１５及び図１６は第２実施形態を示しており、第１実施形態と異なる部分について説明する。この第２実施形態においては、前記口部カバー３４が前記口部３６に装着された状態で前記被係止筒部４２が前記本体ケース３２の前壁部３２ｂより前方へ突出しない構成としている。つまり、口部カバー収容凹部３７を第１実施形態の場合よりも深く形成することで口部３６をさらに奥まった位置に形成している。
【００５８】
これに関連してエスカッションカバー３３の枠部３３ａの高さを低くすることで、エスカッションカバー３３を本体ケース３２の前壁部３２ｂにほぼ隙間なく設ける構成とした。
この結果、この第２実施形態によれば、エスカッションカバー３３の薄形化を図ることができる。
又、この第２実施形態では、アーム部３５を、先端にいくほどエスカッションカバー３３から離れるように傾斜し且つ弾性変形可能な構成とした。この構成によれば、アーム部３５が先端にいくほどエスカッションカバー３３から離れるように傾斜するから、換言すれば、先端にいくほど取付状態の口部カバー３４に接近するように傾斜するから、エスカッションカバー３３を本体ケース３２の前壁部３２ｂに対してスライド操作するときに、アーム部３５が口部カバー３４の被係止筒部４２の挿入孔部４２ｄに届きやすく、挿入孔部４２ｄへのアーム部３５の挿入を容易に行うことができる。
図１７及び図１８は第３実施形態を示しており、この第３実施形態においては、第１実施形態における鉤状部３５ｃ及び案内面４２ｅを設けておらず、又、アーム部３５は、先端にいくほどエスカッションカバー３３から離れるように傾斜し且つ弾性変形可能な構成とした。
【００５９】
この第３実施形態では、アーム部３５の先端に鉤状部３５ｃはないが、図１７の状態からエスカッションカバー３３を取り外した際にアーム部３５が被係止筒部４２を引掛け保持するから、口部カバー３４の落下を防止できる。又、アーム部３５が上述のように傾斜することでエスカッションカバー３３のスライド操作時にアーム部３５の先端が挿入孔部４２ｄに対向可能となるから、案内面４２ｅを備えなくてもアーム部３５を挿入孔部４２ｄに挿入できる。総じて、この第３実施形態においても、所期目的を達成できる。
【００６０】
なお、アーム部３５が傾斜しなくても挿入孔部４２ｄに対向可能となるように挿入孔部４２ｄの大きさなどを設定すれば、アーム部３５を傾斜させない構成とすることもできる。
又、口部カバー３４は係合手段（係合突部３７ａ及び被係合突部３４ｆ）により口部カバー収容凹部３７ひいては口部３６に係脱可能に取り付ける構成としたが、口部カバー３４は例えば摩擦係合によって口部カバー収容凹部３７に係脱可能に取り付ける構成としても良い。
【００６１】
又、被係止筒部４２の平面形状はコ状でなく、例えば半円弧状でも良い。
本発明では、セキュリティ装置において、本体ケースの一壁部に口部を有し、この口部を口部カバーでシール状態に閉鎖し、さらに本体ケースの一壁部を口部カバーごと覆う蓋部材を備えた構成であって、口部カバー閉鎖後に蓋部材の特定方向の操作で当該口部カバーを係止可能とし、蓋部材の取り外し操作（前記特定方向とは異なる方向の操作）で口部カバーを口部から外すところに特徴があり、単に、任意の部位に取り付けられた物体を係止部材で係止して取り外す構成とは全く相違するものである。
【００６２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００６３】
図面中、３１はセキュリティ装置、３２は本体ケース、３２ａは本体部、３２ｂは前壁部（一壁部）、３３はエスカッションカバー（蓋部材）、３３ｂは後面（一面）、３４は口部カバー、３４ａは板状部材、３４ｃは後面（一面）、３４ｄは前面（他面）、３４ｅは被係合突部、３５はアーム部（係止部）、３５ｃは鉤状部、３６は口部、３６ａはシール当接部、３７は口部カバー収容凹部、３７ａは係合突部、３８ａ、３８ｂは係合凸部、３９は露出用開口、４０ａ、４０ｂは被係合凸部、４１はシール部材、４２は被係止筒部（被係止部）、４２ａは前壁部、４２ｄは挿入孔部、４２ｅは案内面、５１は認証面部を示す。
【図１】
2014056866.tif 000003
【図２】
2014056866.tif 000004
【図３】
2014056866.tif 000005
【図４】
2014056866.tif 000006
【図５】
2014056866.tif 000007
【図６】
2014056866.tif 000008
【図７】
2014056866.tif 000009
【図８】
2014056866.tif 000010
【図９】
2014056866.tif 000011
【図１０】
2014056866.tif 000012
【図１１】
2014056866.tif 000013
【図１２】
2014056866.tif 000014
【図１３】
2014056866.tif 000015
【図１４】
2014056866.tif 000016
【図１５】
2014056866.tif 000017
【図１６】
2014056866.tif 000018
【図１７】
2014056866.tif 000019
【図１８】
2014056866.tif 000020
【図１９】
2014056866.tif 000021
【図２０】
2014056866.tif 000022
【図２１】
2014056866.tif 000023
【図２２】
2014056866.tif 000024